(57)【要約】      （修正有）【課題】大袖部、小袖部、前身頃及び後身頃の表地及び裏地に、伸縮性生地が利用される上衣において、着用者が腕を上げる動きを妨げないようにする上衣を提供する。【解決手段】大袖部１、小袖部２、前身頃３及び後身頃４から構成される上衣において、小袖部２は、前身頃３及び後身頃４に挟まれる細腹部から袖先まで連続する１枚の小袖表地２１及び小袖裏地２２から構成し、小袖裏地２２は、細腹部から袖先に向けた方向の伸縮性を有する伸縮性生地からなる。【選択図】図１
0003198999.tif 000002
【実用新案登録請求の範囲】
【請求項１】
大袖部、小袖部、前身頃及び後身頃から構成される上衣において、
小袖部は、前身頃及び後身頃に挟まれる細腹部から袖先まで連続する１枚の小袖表地及び小袖裏地から構成し、
小袖裏地は、細腹部から袖先に向けた方向の伸縮性を有する伸縮性生地からなることを特徴とする上衣。
【請求項２】
大袖部は、大袖表地及び大袖裏地を裏地側アームホールの中とじ線で縫着し、
小袖部は、表地側袖内縫い線及び表地側袖外縫い線により小袖部表地を前記大袖表地に縫着し、裏地側袖内縫い線及び裏地側袖外縫い線により小袖部裏地を前記大袖裏地に縫着した請求項１記載の上衣。
【考案の詳細な説明】
【技術分野】
【０００１】
本考案は、着用者の腕を動かしやすくする上衣に関する。
【背景技術】
【０００２】
学生用の上衣である詰襟学生服は、例えば特許文献１に見られるように、大袖部、小袖部、前身頃及び後身頃から構成される上衣である。このほか、小袖部と別体で、前身頃及び後身頃に挟まれる細腹部を有する上衣もある。ブレザー、セーラー服、そして小学生の制服等も、前記襟学生服同様の構成の上衣である。こうした上衣は、近年、着用者の動きを妨げないように、前記大袖部、小袖部、前身頃及び後身頃の表地及び裏地に、伸縮性生地が利用されるようになってきている。
【先行技術文献】
【特許文献】
【０００３】
【特許文献１】特開2003-304910号公報
【考案の概要】
【考案が解決しようとする課題】
【０００４】
従来の上衣は、大袖部及び小袖部からなる筒袖が、前身頃及び後身頃により形成されるアームホールに縫着されるため、それぞれの表地及び裏地に伸縮性生地が用いられていても、アームホールに対する筒袖の縫着線が伸縮性を分断し、特に腕を上げる動きに制約があった。そこで、大袖部、小袖部、前身頃及び後身頃の表地及び裏地に、伸縮性生地が利用される上衣において、着用者が腕を上げる動きを妨げないように、検討した。
【課題を解決するための手段】
【０００５】
検討の結果考案したものが、大袖部、小袖部、前身頃及び後身頃から構成される上衣において、小袖部は、前身頃及び後身頃に挟まれる細腹部から袖先まで連続する１枚の小袖表地及び小袖裏地から構成し、小袖裏地は、細腹部から袖先に向けた方向の伸縮性を有する伸縮性生地からなることを特徴とする上衣である。小袖裏地は、細腹部から袖先に向けた方向の伸縮性を有すれば、更に異なる方向の伸縮性を有していてもよい。大袖部、前身頃及び後身頃の裏地は、従来同様の伸縮性生地を用いる。
【０００６】
本考案の上衣は、前身頃及び後身頃に挟まれる細腹部から袖先まで連続する小袖表地及び小袖裏地から小袖部を構成することで、縫着線による小袖部の伸縮性の分断をなくす。そして、本考案の上衣は、小袖裏地を細腹部から袖先に向けた方向の伸縮性を有する伸縮性生地にして、小袖裏地が腕を上げる動きを妨げる虞をなくす。ここで、大袖部は、大袖表地及び大袖裏地を裏地側アームホールの中とじ線で縫着し、小袖部は、表地側袖内縫い線及び表地側袖外縫い線により小袖部表地を前記大袖表地に縫着し、裏地側袖内縫い線及び裏地側袖外縫い線により小袖部裏地を前記大袖裏地に縫着したことにより、大袖裏地及び大袖表地を介して、小袖裏地の小袖表地に対する位置ずれを防いでいる。
【考案の効果】
【０００７】
本考案の上衣は、腕を上げる動きを妨げないことで、総じて着用者の腕を動かしやすくする。これは、小袖部を細腹部から袖先まで連続する１枚の小袖表地及び小袖裏地から構成し、前記小袖裏地を前記細腹部から袖先に向けた方向の伸縮性を有する伸縮性生地から構成したことによる効果である。小袖裏地は、大袖裏地及び大袖表地を介して小袖表地に対する位置ずれを防いでいるので、特に裏地側アームホールにおける腕の動きに追従する伸縮性が確保される。これも、総じて着用者の腕を動かしやすくする効果をもたらす。
【図面の簡単な説明】
【０００８】
【図１】本発明を適用した詰襟学生服の一例における要部を表す側面図である。
【図２】本例の詰襟学生服の要部における裏地のみを表す側面図である。
【考案を実施するための形態】
【０００９】
以下、本考案を実施するための形態について図を参照しながら説明する。本考案は、例えば図１及び図２に見られるように、詰襟学生服に適用される。本例の詰襟学生服は、大袖部１及び小袖部２から筒袖を構成し、細腹部を含む長尺の前記小袖部２を介して前身頃３及び後身頃４が繋がる。このように、本例の詰襟学生服は、従来細腹部を有する構成から前記細腹部を除き、前記細腹部を含む長尺な小袖部２を用いた構成になっている。
【００１０】
大袖部１、小袖部２、前身頃３及び後身頃４は、それぞれ大袖表地11及び大袖裏地12、小袖表地21及び小袖裏地22、前身頃表地31及び前身頃裏地32、そして後身頃表地41及び後身頃裏地42から構成される。大袖表地11は、袖口近傍に袖ボタンがつけられたり、前身頃表地31は、胸ポケットや脇ポケットが設けられたり、前身頃裏地41は、内ポケットが設けられたりする。
【００１１】
大袖表地11は、袖回り方向の伸縮性を有する（生地の種類）生地、前身頃表地31及び後身頃表地41は、胴回り方向の伸縮性を有する（生地の種類）生地を用い、小袖表地21は、袖回り方向及び延在方向に伸縮性を有する（生地の種類）生地を用いる。これにより、本例の詰襟学生服は、着用者の動きに合わせて表地全体が伸縮し、前記着用者の動きを妨げないようになる。
【００１２】
また、大袖裏地12は、袖回り方向の伸縮性を有するストレッチツイル生地、前身頃裏地32及び後身頃裏地42は、胴回り方向の伸縮性を有するストレッチツイル生地を用い、小袖裏地22は、袖回り方向及び延在方向に伸縮性を有するストレッチトリコット生地を用いる。これにより、裏地全体として表地全体の伸縮性を損ねないようになると共に、特に小袖裏地22が細腹部から袖先に向けた方向に伸縮し、腕の上げ下げを妨げなくなる。
【００１３】
大袖表地11は、表地側袖内縫い線111及び表地側袖外縫い線112により、小袖表地21と縫着され、筒袖の表地を構成する。小袖表地21は、筒袖の表地から細腹部が延びた部分である。大袖裏地12は、裏地側袖内縫い線121及び裏地側袖外縫い線122により、小袖裏地22と縫着され、筒袖の裏地を構成し、裏地側アームホール６に沿う中とじ線61により、前記大袖表地11と縫着される。小袖裏地22は、筒袖の裏地から細腹部が延びた部分である。
【００１４】
前身頃３は、表地側前脇縫い線311により小袖表地21の細腹部相当部分の前縁に前身頃表地31を縫着し、裏地側前脇縫い線321により小袖裏地22の相当部分の前縁に前身頃裏地32を縫着する。同様に、後身頃４は、表地側後脇縫い線411により小袖裏地22の相当部分の後縁に後身頃表地41を縫着し、裏地側後脇縫い線421により小袖裏地22の相当部分の後縁に後身頃裏地42を縫着する。
【００１５】
大袖表地11及び小袖表地21からなる筒袖の表地は、前身頃表地31及び後身頃表地41が形成する表地側アームホール５に縫着される。また、大袖裏地12及び小袖裏地22からなる筒袖の裏地は、前身頃裏地32及び後身頃裏地42が形成する裏地側アームホール６に縫着される。そして、筒袖の裏地は、大袖裏地12のみが、前記裏地側アームホール６に沿った中とじ線61により、大袖表地11と縫着される。
【００１６】
これにより、大袖表地11に対する大袖裏地12の位置ずれが防止される。また、裏地側袖内縫い線121及び裏地側袖外縫い線122により大袖裏地12と縫着される小袖裏地22が、前記大袖裏地12及び大袖表地11を介して、小袖表地21に対する位置ずれが防止される。ここで、小袖裏地22は、小袖表地21に対して直接縫着されていないため、特に細腹部から袖先に向けた方向の伸縮性が阻害されず、着用者の腕の動きを制限しないようになっている。
【符号の説明】
【００１７】
１  大袖部
11  大袖表地
111  表地側袖内縫い線
112  表地側袖外縫い線
12  大袖裏地
121  裏地側袖内縫い線
122  裏地側袖外縫い線
２  小袖部
21  小袖表地（細腹表地含む）
22  小袖裏地（細腹裏地含む）
３  前身頃
31  前身頃表地
311  表地側前脇縫い線
32  前身頃裏地
321  裏地側前脇縫い線
４  後身頃
41  後身頃表地
411  表地側後脇縫い線
42  後身頃裏地
421  裏地側後脇縫い線
５  表地側アームホール
６  裏地側アームホール
61  中とじ線
【図１】
0003198999.tif 000003
【図２】
0003198999.tif 000004